(57)【要約】【課題】広い視野を確保しつつ、ヘルメット内の頭頂部近傍以外の領域、特に脳機能計測における参照領域として用いられる、中央部の小脳部分についても十分な感度が得られるようにして、装置コストを抑えつつ高精度な脳ＰＥＴ計測を実現する。【解決手段】ヘルメット型ＰＥＴ装置において、検査対象１０の頭頂部を覆うようにＰＥＴ検出器が配置されたヘルメット部（半球型検出器２０）と、検査対象１０の頭頂部以外にＰＥＴ検出器を配置するための追加部（顎部検出器３０、耳部検出器８０、又は、首部検出器９０）とを備え、前記ヘルメット部（２０）のＰＥＴ検出器の出力と追加部（３０、８０、９０）のＰＥＴ検出器の出力の両者を用いてＰＥＴ計測を行う。【選択図】図１
2015087260.tif 000002
【特許請求の範囲】
【請求項１】
検査対象の頭頂部を覆うようにＰＥＴ検出器が配置されたヘルメット部と、
検査対象の頭頂部以外にＰＥＴ検出器を配置するための追加部とを備え、
前記ヘルメット部のＰＥＴ検出器の出力と追加部のＰＥＴ検出器の出力の両者を用いてＰＥＴ計測を行うことを特徴とするヘルメット型ＰＥＴ装置。
【請求項２】
前記追加部が、検査対象の顎、耳、又は、首の位置に配置されることを特徴とする請求項１に記載のヘルメット型ＰＥＴ装置。
【請求項３】
前記ヘルメット部のＰＥＴ検出器と追加部のＰＥＴ検出器が、同じ球面上に配置されていることを特徴とする請求項１又は２に記載のヘルメット型ＰＥＴ装置。
【請求項４】
前記ヘルメット部のＰＥＴ検出器と追加部のＰＥＴ検出器が、検査対象の頭部形状に合わせて検査対象の頭部に近接するように配置されていることを特徴とする請求項１又は２に記載のヘルメット型ＰＥＴ装置。
【発明の詳細な説明】
【技術分野】
【０００１】
本発明は、ヘルメット型ＰＥＴ装置に係り、特に、脳機能を画像化するのに好適な高感度なヘルメット型ＰＥＴ装置に関する。
【背景技術】
【０００２】
陽電子放出断層撮像法（ＰＥＴ）は、極微量の陽電子放出核種で標識した化合物を投与し、体内から放出される消滅放射線を検出することで、糖や酸素などの代謝や、神経受容体の状態などを機能画像として画像化することが可能であり、これを実施するためのＰＥＴ装置が実用化されている。
【０００３】
ＰＥＴでは、陽電子崩壊によって陽電子放出核種から放出された陽電子が周囲の電子と対消滅することで生じる一対の５１１ｋｅＶの消滅放射線を、対の放射線検出器で同時計数することによって測定を行う。これにより、核種の存在位置を、対の検出器同士を結ぶ線分上に特定することができる。核種分布の画像化は、複数の検出器対で測定されたデータから、二次元もしくは三次元の画像再構成手法によって行われる。
【０００４】
脳機能測定を行うために特化された脳ＰＥＴは、アルツハイマー病やパーキンソン病のような病気の早期診断や神経活動の解明に有効である。より正確な診断のためには、高画質な画像を得る必要があり、そのために装置に求められる性能として、空間分解能と感度がある。空間分解能は、検出器の素子のサイズを小さくすることで向上する。また、感度は検出器の厚さを増加することで向上できる他、検出器立体角を増やすことでなされる。
【０００５】
測定立体角を大きくし、ＰＥＴ装置の感度を高めるためには、通常、多数のＰＥＴ検出器を円筒状に配置する。しかし、長いトンネル状の患者ポートは患者の心理的ストレスを高める他、測定中に患者に対して視覚的な刺激を与える等の検査を困難にさせる。特に精神病患者に対しては、視覚を奪うと心理的ストレスにより精神が不安定になり、検査が困難になる。
【０００６】
これに対して、出願人は、複数に分割した検出器リングを離して配置し、物理的に開放された視野領域を有する開放型ＰＥＴ装置（オープンＰＥＴとも称する）を提案している（特許文献１）。また、検出器リングを分割した開放型ＰＥＴ装置の他に、円筒を、円筒の切り口に対して傾斜する２つの平面で切り取った形状を持つ開放型ＰＥＴの提案を行なっている（特許文献２）。また、ＭＲＩポートの中で動作可能なＰＥＴの検出器を用い、ＰＥＴ／ＭＲＩ装置として構成可能な頭部用ＰＥＴの装置の視野周辺に開放領域を設けることの提案も行っている（特許文献３）。また、他のグループより、リング状に配置されたＰＥＴの検出器を、頭部の周囲に固定するために、ヘルメットの内側に配置したり、帽子のように装着させたりするシステムの提案が行われている（特許文献４、非特許文献１、非特許文献２）。
【０００７】
又、出願人は、頭部の周囲に検出器を配置する手段として帽子状の線量計装着ウェアも提案している（特許文献５）。
【先行技術文献】
【特許文献】
【０００８】
【特許文献１】ＷＯ２００８／１２９６６６号公報
【特許文献２】ＷＯ２０１２／１６４６６４号公報
【特許文献３】特開２０１１−１８５７９６号公報
【特許文献４】特表２０１２−５０３１９７号公報
【特許文献５】特許第４７９８４７６号公報
【非特許文献】
【０００９】
【非特許文献１】Majewski, S., et al., (2011). HelmetPET: A silicon photomultiplier based wearable brain imager. In 2011 IEEE Nuclear Science Symposium Conference Record (pp. 4030-4034).
【非特許文献２】S. Yamamoto, et al., “Development of a brain PET system, PET-Hat: A wearable PET system for brain research,” IEEE Trans. Nucl. Sci., vol. 58, pp. 668-673, 2011.
【発明の概要】
【発明が解決しようとする課題】
【００１０】
しかしながら、ヘルメット状又は帽子状に検出器を配置しただけでは、ヘルメット又は帽子の内側以外の部分の感度が十分でないという問題点を有していた。
【００１１】
本発明は、前記従来の問題点を解消するべくなされたもので、広い視野を確保しつつ、ヘルメット内の頭頂部近傍以外の領域、特に脳機能計測における参照領域として用いられる、中央部の小脳部分についても十分な感度が得られるようにして、装置コストを抑えつつ高精度な脳ＰＥＴ計測を実現することを課題とする。ここで言う「脳機能計測における参照領域」とは、リガンドが特異結合する受容体など、放射性薬剤が特異的に結合する分子が存在しない領域であり、血漿中放射能濃度を用いないで結合能の定量化を行う手法において用いられている。
【課題を解決するための手段】
【００１２】
本発明は、検査対象の頭頂部を覆うようにＰＥＴ検出器が配置されたヘルメット部と、検査対象の頭頂部以外にＰＥＴ検出器を配置するための追加部とを備え、前記ヘルメット部のＰＥＴ検出器の出力と追加部のＰＥＴ検出器の出力の両者を用いてＰＥＴ計測を行うことを特徴とするヘルメット型ＰＥＴ装置により前記課題を解決したものである。
【００１３】
ここで、前記追加部を、検査対象の顎、耳、又は、首の位置に配置することができる。
【００１４】
又、前記ヘルメット部のＰＥＴ検出器と追加部のＰＥＴ検出器を、同じ球面上に配置することができる。
【００１５】
又、前記ヘルメット部のＰＥＴ検出器と追加部のＰＥＴ検出器を、検査対象の頭部形状に合わせて検査対象の頭部に近接するように配置することができる。
【発明の効果】
【００１６】
本発明により、広い視野を確保しつつ、ヘルメット内の頭頂部近傍以外の領域、特に脳機能計測における参照領域として用いられる、中央部の小脳部分の感度を効率的に高めることが可能であるため、装置コストを抑えつつ高精度な脳ＰＥＴ計測が実現できる。
【００１７】
ここで、追加する検出器は必ずしも顎部にある必要はなく、例えば耳の位置に検出器を配置したり、首や頬の位置に配置したりすることで中央部の感度の向上を実現できる。しかしながら、画像を再構成する観点から、顎の部分に検出器を配置することで、半球型検出器の頭部の外周に配置された検出器素子に対して、直交する方向の投影像を取得できるため、向きによる画質劣化のばらつきを補正し、画質の向上が見込める。
【図面の簡単な説明】
【００１８】
【図１】本発明の第１実施形態の概念図
【図２】同じ検出器表面積となるように構成した（Ａ）半球型検出器のみのヘルメット型ＰＥＴ装置と（Ｂ）円筒型のＰＥＴ装置、並びに（Ｃ）開放型ＰＥＴ装置であるオープンＰＥＴ装置の感度分布を比較して示す図
【図３】第１実施形態の顎部検出器の大きさを定義するパラメータと、感度比較のための参照領域を示す図
【図４】同じく顎部検出器の増加に対する参照領域の感度変化を示す図
【図５】同じく顎部検出器を半球型検出器に加えた時の感度分布の変化を示す図
【図６】イメージング性能の比較のため、計算機シミュレーションにより円筒型ＰＥＴ装置、ヘルメット型ＰＥＴ装置、顎部検出器付ヘルメット型ＰＥＴ装置、耳部検出器付ヘルメット型ＰＥＴ装置、顎部検出器付ヘルメット型ＰＥＴ装置の各ジオメトリでの投影データを求め、統計ノイズを付与し、三次元画像再構成を行った図
【図７】図６の画像を定量的に評価するため、関心領域をそれぞれのディスク内に設定し、標準偏差の値を平均値で割った値である正規化標準偏差を求めた図
【図８】顎部検出器付ヘルメット型ＰＥＴ装置を実現するための第１実施例の装着方法と計測時の姿勢を示す図
【図９】同じく第２実施例の装着方法と計測時の姿勢を示す図
【図１０】同じく第３実施例の装着方法と計測時の姿勢を示す図
【図１１】第１実施形態の信号処理系統を示すブロック図
【図１２】同じく外側ガントリーへの検出器の固定方法を示す（Ａ）正面図、及び、（Ｂ）側面図
【図１３】同じく（Ａ）半球型検出器及び（Ｂ）顎部検出器の内側ガントリーへの検出器の固定方法を示す図
【図１４】検出器の構成として可能なものの一覧を示す図
【図１５】検出器の配置方法を示す図
【図１６】サッカーボール型検出器の配置方法を示す図
【図１７】三角柱シンチレータ配列による（Ａ）六角形検出器と（Ｂ）五角形検出器の構成例を示す図
【図１８】本発明の第２実施形態の概念図
【図１９】本発明の第３実施形態の概念図
【図２０】本発明の第２、第３実施形態で三次元再構成を行った図
【発明を実施するための形態】
【００１９】
以下図面を参照して、本発明の実施形態を詳細に説明する。尚、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００２０】
本発明の第１実施形態は、図１に示す如く、検査対象（被検者とも称する）１０の頭頂部を覆うようにＰＥＴ検出器が半球状に配置されたヘルメット部である半球型検出器２０と、顎の部分にＰＥＴ検出器を配置するための追加部である顎部検出器３０によって構成されるヘルメット型ＰＥＴ装置である。
【００２１】
従来、ＰＥＴ検出器の形はブロック型であるが、本発明では、より細かく分割された検出器素子の使用を想定に入れている。具体的には後出図１４に例示するように、３ｍｍ角程度より細かい検出器素子を自由な曲面上に任意の間隔で配置することで実現する。また、ピクセル化されていない検出器素子で、曲面を持つシンチレータを用いモノリシック検出器のようにガンマ線の検出位置を推定する検出器を用いても良い。また、半球状のシンチレータを分割してピクセル化しても良い。また、検出器素子を三角形として、三角形パッチのように球面を構成しても良い。
【００２２】
顎部検出器３０の大きさは、追加検出器のコストと感度上昇の効率を考慮して決める。また、顎部検出器３０の大きさを決める開き角パラメータα（左右方向の幅に対応）、β（上下方向の幅に対応）（図３参照）の範囲は、最小は検出器素子の大きさ、最大は要求される視野の大きさ、及び首の通る大きさによって制限され、検出器素子の大きさを１ｍｍ、装置の直径を２５ｃｍとした場合、αの範囲は最小０．５°から最大９０°、βの範囲は最小０．５°から最大４０°程度である。辺縁部と中心部の感度差を低減するために、幾何学的な感度を求め、参照領域を設けて比較することで、適切なパラメータを求めることが可能である。検出器の増加量が１０％を超えても感度差は大きくは変化しないため、α＝６０°、β＝１０°程度が好ましい。
【００２３】
まず、顎部検出器無しで半球型検出器のみで構成されたヘルメット型ＰＥＴ検出器が感度の面で優れている点について説明する。図２に示すように、人の頭部が計測できるように半径Ｒ＝１２５ｍｍのヘルメット型ＰＥＴ装置（Ａ）と、半径Ｒ＝１２５ｍｍ、長さＬ＝１２５ｍｍの円筒型ＰＥＴ装置（Ｂ）と、半径Ｒ＝１２５ｍｍ、検出器リングの長さＷ＝６２．５ｍｍ、開放空間の長さＧ＝６２．５ｍｍの開放型ＰＥＴ装置（オープンＰＥＴ）（Ｃ）について感度分布の比較を行った。ここで、比較する３つのジオメトリはすべて同じ検出器表面積となり、装置構成のための検出器の量がほぼ等しくなる。図２に示すように、同じ検出器量にも係わらず、視野の形に合わせて構成されたヘルメット型ＰＥＴ装置（Ａ）が全体的に高い感度を有することが分かる。特に、頭部の計測に必要な半球型の視野に対して辺縁部、つまり大脳が位置する場所の感度が非常に高いことが分かる。一方、円筒型ＰＥＴ装置（Ｂ）では頭頂部も開放されているため、感度が低下してしまう。そのため、脳機能測定のためには円筒の長さを長くし、高感度領域を広げる必要があるため、検出器の量が大幅に増えてしまう。一方、オープンＰＥＴ（Ｃ）の場合には、検出器リング間の開放空間のため視野が拡大されている。オープンＰＥＴの感度は開放空間の中心で最も高くなるため、ヘルメット型ＰＥＴ装置での辺縁部に相当するところが高感度になるが、ヘルメット型ＰＥＴ装置の方が更に倍近く高感度である。
【００２４】
半球型検出器２０のみで構成されたヘルメット型ＰＥＴ装置の弱点は、中心部の感度が他に比べて低いことである。そこで、本発明では低感度部を補うために、顎の部分に検出器を配置する方法を提案した。顎部検出器３０の大きさを決定するための方法として、まず顎部検出器３０を半球型検出器２０と同一の球上に定義し、そして、図３（Ａ）（側面図）、（Ｂ）（正面図）に示す如く、左右方向の幅を決める開き角パラメータα、上下方向の幅を決める開き角パラメータβを定義した。
【００２５】
顎部検出器３０の有効性を示すために、顎部検出器無しの場合と、α＝６０°、β＝１０°の顎部検出器３０を配置した時の中心から頭頂部に向かう直線上の感度分布を比較した結果を図４に示す。感度分布は左右対称となるので、比較しやすくするため左半分に顎部検出器有り、右半分に顎部検出器無しの時の感度分布を表示した。半球型検出器２０のみの場合に感度が低くなっていた場所を効率的に改善できていることが分かる。
【００２６】
また、αとβを変化させ、顎部検出器３０の大きさを変化させた時の感度の変化を調べるために、図３に示したように関心領域（ＲＯＩとも称する）を辺縁領域と中心領域に設定し、それらの領域の平均感度を求めた。顎部検出器３０の増加に対する参照領域の感度変化を図５（Ａ）、（Ｂ）、（Ｃ）に示す。顎部検出器３０が無い場合と比較し、検出器の増加量に対して感度がどの程度増幅したかを示す利得を中心領域と辺縁領域に対して示した。検出器の増加量は、半球型検出器２０の表面積に対する顎部検出器３０の表面積として定義した。また、中心領域と辺縁領域との感度の差を示すために、感度比を検出器の増加量に対して示した。感度の利得は、顎部検出器無しの場合に対する感度の比とした。顎部検出器３０を増やしても、辺縁領域の感度はそれほど変化しないのに対して、中心領域の感度は大きく改善されていることが分かる。また、中心領域と辺縁領域の感度比をグラフ化した結果、検出器量を１２％程度増加させただけで、もともと５倍程度あった半球型検出器２０単体の感度差が、２倍程度までに改善されることが示された。この際の顎部検出器３０の大きさはα＝６０°、β＝１０°である。
【００２７】
また、イメージング性能の評価のために、計算機シミュレーションを行った結果を図６、図７に示す。イメージング性能の比較のため、計算機シミュレーションにより円筒型ＰＥＴ装置、ヘルメット型ＰＥＴ装置、本第１実施形態の顎部検出器付ヘルメット型ＰＥＴ装置、後出図１８に示す耳部検出器８０を追加した第２実施形態の耳部検出器付ヘルメット型ＰＥＴ装置、後出図１９に示す首部検出器９０を追加した第３実施形態の首部検出器付ヘルメット型ＰＥＴ装置の各ジオメトリでの投影データを求め、統計ノイズを付与し、三次元画像再構成を行った。顎部検出器付ヘルメット型ＰＥＴ装置の顎部検出器３０の大きさはα＝６０°、β＝１０°とした。シンチレータのサイズはそれぞれ３ｍｍ角と仮定した。数値ファントムとして、球状のバックグラウンドの中に、３つのディスクと６つの点状の集積を定義した。また、発生したガンマ線対の総数を５００Ｍカウントとし、各装置のジオメトリにおける幾何学的な感度との積で投影データのカウント数を決定した。冠状面、矢状面は中心を通る断面を、横断面としては、ディスクと点状の集積のある断面を示した。特に中心に近い断面ほど顎部検出器３０の効果が顕著に現れており、画質が良くなっている。
【００２８】
ノイズを定量的に評価するため、関心領域をそれぞれのディスク内に設定し、標準偏差の値を平均値で割った値である正規化標準偏差を求めた。図７の左にその関心領域の場所ＲＯＩ１、ＲＯＩ２、ＲＯＩ３を示す。円筒型ＰＥＴ装置とヘルメット型ＰＥＴ装置単体では、球の中心に近い場合ノイズが非常に大きくなるのに対し、顎部検出器３０を追加した第１実施形態の顎部検出器付ヘルメット型ＰＥＴ装置、耳部検出器８０を追加した第２実施形態の耳部検出器付ヘルメット型ＰＥＴ装置、首部検出器９０を追加した第３実施形態の首部検出器付ヘルメット型ＰＥＴ装置ではノイズを大幅に低減できる。
【００２９】
ここで、画質を表すパラメータであるＮＳＤ値は、次式で表される。
【数１】
2015087260.tif 000003
【００３０】
図８に、顎部検出器付ヘルメット型ＰＥＴ装置を実現するための第１実施例を示す。椅子４０と一体化させることで、測定中に検査対象（被検者）１０への負担を少なくすることができる。半球型検出器２０のガントリー２２を可動式にし、顎部検出器３０のガントリー３２はジョイント部３４を設けて取り付けることで、脱着を容易に行うことができる。
【００３１】
図において、４２は背もたれ、４４は半球型検出器ガントリー２２の支柱、４６は台座、４８はデータ信号線である。
【００３２】
図９に同じく顎部検出器付ヘルメット型ＰＥＴ装置を実現するための第２実施例を示す。本実施例は、顎部検出器ガントリー３２が支柱３３に支持されて顎載せ台を兼ねるようされている点が第１実施例と異なる。他の点は第１実施例と実質的に同じであるので説明は省略する。
【００３３】
図１０に、同じく顎部検出器付ヘルメット型ＰＥＴ装置を実現するための第３実施例を示す。本実施例は、半球型検出器ガントリー２２が前部２２Ｆと後部２２Ｒに分割され、前部２２Ｆが顎載せ台兼顎部検出器ガントリー３２と共に支柱３３に支持されている点が第２実施例と異なる。他の点は第２実施例と実質的に同じであるので説明は省略する。
【００３４】
図１１に示す如く、半球型検出器２０と顎部検出器３０からの信号は同時計数回路５０に送られ、同時計数判定を行った後、同時計数データとしてデータ処理装置５２に送られる。なお、同時計数判定は、半球型検出器２０の中のシンチレータ同士、並びに半球型検出器２０と顎部検出器３０のシンチレータ同士それぞれについて行われる。
【００３５】
図１２及び図１３に、検出器のガントリー内への固定方法を示す。半球型検出器２０を構成するＰＥＴ検出器２１は、データ信号線４８を各素子に取り付けた後、内側と外側に分けられた半球型検出器ガントリー２２Ａ（図１３（Ａ）参照）、２２Ｂ（図１２参照）の内部に固定される。また、顎部検出器３０を構成するＰＥＴ検出器３１は、同様に内側と外側に分けられた顎部検出器ガントリー３２の内部３２Ａ（図１３（Ｂ）参照）、３２Ｂ（図１２参照）に固定される。そして、ジョイントパーツ３４によって半球型検出器ガントリー２２に取り付けられる。
【００３６】
図１４にＰＥＴ検出器の構成として可能なものの一覧を示す。図１４（Ａ）は、シンチレータ配列６０の片側（図では下側）に光検出器６２が配置されたブロック型検出器、図１４（Ｂ）は、モノリシックシンチレータ６４の片側（図では下側）に光検出器６２が配置されたモノリシックブロック型検出器、図１４（Ｃ）は、曲面状のシンチレータ配列６６の片側（図では下側）に光検出器６２が配置されたピクセル型曲面検出器、図１４（Ｄ）は、シンチレータ６８と光検出器６２が１対１でカップリングされた検出器、図１４（Ｅ）は、シンチレータ配列６０の両側（図では上下）に光検出器６２が配列された両面読み出しブロック型検出器、図１４（Ｆ）は、曲面状のモノリシックシンチレータ７０の片側（図では下側）に光検出器６２が配置されたモノリシック曲面型検出器、図１４（Ｇ）は、三角柱シンチレータ配列７２の片側（図では下側）に三角形状の光検出器７４が配置された三角パッチ型検出器を示す。
【００３７】
図１５（Ａ）にブロック型検出器の場合の配置方法の一例の断面を示し、図１５（Ｂ）に曲面型検出器の場合の配置方法の一例の断面を示し、図１５（Ｃ）に底面が四角形の光検出器６２の球面への配置方法の一例を示し、図１５（Ｄ）に三角パッチ型検出器７４の場合の球面への配置方法の一例を示す。図１５（Ｄ）に示すように、三角パッチ型検出器７４の底面の形が三角形となっていれば隙間なくほぼ半球型に配置することが可能であるが、図１５（Ｃ）に示すように、底面が四角形の検出器６２を用いた場合でも、検出器６２のサイズが１〜３ｍｍ角と小さければ、十分な密度で配置することが可能である。
【００３８】
図１６（Ｃ）に、（Ａ）六角形検出器７６と（Ｂ）五角形検出器７８によるサッカーボール型検出器配置の例を示す。
【００３９】
図１７（Ａ）、（Ｂ）に、それぞれ三角柱シンチレータ配列７２による六角形検出器７６と五角形検出器７８の構成例を示す。図１７（Ａ）に示す六角形の場合は正三角形、図１７（Ｂ）に示す五角形の場合は、頂点角度が７２°の二等辺三角形により構成される。
【００４０】
なお、追加する検出器は必ずしも顎部にある必要はなく、図１８に示す第２実施形態のように、例えば耳の位置に耳部検出器８０を配置したり、図１９に示す第３実施形態のように、半球型検出器２０の後方を延長して首部検出器９０としたり、頬の部分に配置したりすることで中央部の感度の向上を実現できる。第２、第３実施形態で三次元再構成を行った例を図２０に示す。耳部検出器方式、後頭部延長による首部検出器方式について、顎部検出器方式と解析的に計算した表面積を同じにしているが、再構成像のＮＳＤ値は、どの追加方式でもほとんど変わらなかった。若干違うのは、底面を３ｍｍ×３ｍｍと仮定している検出器素子で離散化して構成した場合にそれぞれの方式でやや異なるためと思われる。
【００４１】
素子の数は半球型検出器のみの時に１０６６８、顎部検出器方式の時に１１８８０、耳部検出器方式の時に１１８８４、後頭部延長による首部検出器方式の時に１１８８７であった。
【００４２】
前記実施形態においては、いずれもＰＥＴ検出器を同じ球面上に配置していたので、計算が容易である。なお、ＰＥＴ検出器を検査対象の頭の形状に合わせて非球面上に近接配置することで小型化し、ＰＥＴ検出器の数を減らしてコストダウンすると共に、感度を高めることも可能である。
【産業上の利用可能性】
【００４３】
脳ＰＥＴは、アルツハイマー病やパーキンソン病のような病気の早期診断や神経活動の解明に有効である。
【符号の説明】
【００４４】
１０…検査対象（被検者）
２０…半球型検出器（ヘルメット部）
２１、３１…ＰＥＴ検出器
２２…半球型検出器ガントリー
３０…顎部検出器
３２…顎部検出器ガントリー
８０…耳部検出器
９０…首部検出器
【図３】
2015087260.tif 000004
【図８】
2015087260.tif 000005
【図９】
2015087260.tif 000006
【図１０】
2015087260.tif 000007
【図１１】
2015087260.tif 000008
【図１２】
2015087260.tif 000009
【図１３】
2015087260.tif 000010
【図１４】
2015087260.tif 000011
【図１５】
2015087260.tif 000012
【図１６】
2015087260.tif 000013
【図１７】
2015087260.tif 000014
【図１】
2015087260.tif 000015
【図２】
2015087260.tif 000016
【図４】
2015087260.tif 000017
【図５】
2015087260.tif 000018
【図６】
2015087260.tif 000019
【図７】
2015087260.tif 000020
【図１８】
2015087260.tif 000021
【図１９】
2015087260.tif 000022
【図２０】
2015087260.tif 000023